(57)【要約】【課題】椅子における表皮材の周端部を、座シェルに、簡単かつ強固に固定する。【解決手段】上端に前後方向を向く左右１対の支持杆３ａを有する脚フレーム３の上部に、内向支持片１４を有する枠状をなし、かつ少なくとも左右の側枠１０ａと後枠１０ｂとに、内向支持片１４の外周端より起立する上向片１５を有する合成樹脂製の座枠１０を載設するとともに、座枠１０における上向片１５により囲まれた枠内に、表皮材１３により覆われたクッション材１２を上面に有し、かつ中央部が下向きに弾性変形可能な合成樹脂よりなる板状の座シェル１１を、その下面に折り返した表皮材１３の周端部を、座枠１０の内向支持片１４の上面と座シェル１１の外周部の下面により挟持するようにして嵌着する。【選択図】        図３
2005034296.tif 000002
【特許請求の範囲】
【請求項１】
上端に前後方向を向く左右１対の支持杆を有する脚フレームの上部に、内向きの支持部を有する枠状をなし、かつ少なくとも左右の側枠と後枠とに、前記支持部の外周端より起立する上向片を有する合成樹脂製の座枠を載設するとともに、前記座枠における上向片により囲まれた枠内に、表皮材により覆われたクッション材を上面に有し、かつ中央部が下向きに弾性変形可能な合成樹脂よりなる板状の座シェルを、その下面に折り返した前記表皮材の周端部を、前記座枠の内向きの支持部の上面と座シェルの外周部の下面により挟持するようにして嵌着したことを特徴とする椅子。
【請求項２】
座シェルの左右両側端と後端とに、座枠の上向片の内面に摺接する枠状片を立設してなる請求項１記載の椅子。
【請求項３】
座シェルの外周部下面に、下端に上向鉤状の係合爪を有する複数の係合片を突設し、各係合片の係合爪を、座枠の内向の支持部に設けた係止孔、または支持部の内周縁部下面に弾性係合させることにより、座枠に座シェルを着脱可能に嵌着してなる請求項１または２記載の椅子。
【請求項４】
座枠の左右の上向片の上端に、外向きのフランジ片を連設し、両フランジ片を、左右の支持杆の上面により支持することにより、座枠を左右の支持杆の間に設けてなる請求項１〜３のいずれかに記載の椅子。
【請求項５】
左右の支持杆における前部と後部同士の対向面間に、左右方向を向く座支持部材を横架し、座枠の後端部下面と座シェルの前端部下面とを、それぞれ、前記後部座支持部材と前部座支持部材とにより支持し、前後の座支持部材の下方より座シェルに向かって螺合したねじにより、座枠と座シェルとを脚フレームに固定した請求項１〜４のいずれかに記載の椅子。
【発明の詳細な説明】
【０００１】
【発明の属する技術分野】
本発明は、上面がクッション材と表皮材により覆われた合成樹脂製の座シェルを備える椅子に関する。
【０００２】
【従来の技術】
この種の椅子において、座シェルの上面にクッション材を取付け、その上面をカバー等の表皮材により覆う際には、表皮材が、着座者の体重により引っ張られたり、着座中の粗暴な動作により外れたりしないように、その周端部を、座シェルに固定する必要がある。
【０００３】
従来は、表皮材の周端部を、座シェル（座板）の周端部下面に接着して固定したり（例えば特許文献１参照）、座シェルを内シェルと外シェルとからなるものとし、内シェルの上面に取付けたクッション材の上面を覆う表皮材の前端部を、外シェルの前端部の下向き折曲部に形成したＵ字状断面の嵌合溝に、内シェルの前端部に設けた係合片を、表皮材と共に折り返して係合させることにより固定し、かつ内シェルの左右両端部を下向きに屈曲し、この屈曲部を、表皮材の左右の端部と共に、外シェルの左右両側部に設けた段部に嵌合して固定するなどしている（例えば特許文献２参照）。
【０００４】
【特許文献１】
特開平８−２５６８７２号公報（図７）
【特許文献２】
特開平１１−２７６２９２号公報（図３、図４）
【０００５】
【発明が解決しようとする課題】
上記特許文献１のように、表皮材の周端部を座シェルの下面に接着して固定したのでは、その固定作業が面倒であり、作業能率が悪い。
また、損耗した表皮材を交換する際などに、接着剤が剥れにくく、交換作業も面倒となる。
【０００６】
上記特許文献２に記載されている椅子では、表皮材の前端部の周端部は強固に固定されるが、左右両側の周端部においては、外シェルの段部において、該外シェルと内シェルとの屈曲部により側方から挟持されているのみであるので、表皮材が左右方向に無理に引っ張られると、周端部が外れたりずれたりする恐れがある。
【０００７】
また、特許文献１及び２の椅子では、いずれも、座の剛性を高めるために、外シェル全体を厚肉としたり、座板に補強突条を設けたりしているので、座が下方に撓みにくく、座り心地が悪いという問題もある。
【０００８】
本発明は、上記問題点に鑑みてなされたもので、表皮材の周端部を、座シェルに、簡単かつ強固に固定しうるとともに、座の撓み性を大として、座り心地を向上させた、椅子を提供することを目的としている。
【０００９】
【課題を解決するための手段】
本発明によると、上記課題は、次のようにして解決される。
（１）上端に前後方向を向く左右１対の支持杆を有する脚フレームの上部に、内向きの支持部を有する枠状をなし、かつ少なくとも左右の側枠と後枠とに、前記支持部の外周端より起立する上向片を有する合成樹脂製の座枠を載設するとともに、前記座枠における上向片により囲まれた枠内に、表皮材により覆われたクッション材を上面に有し、かつ中央部が下向きに弾性変形可能な合成樹脂よりなる板状の座シェルを、その下面に折り返した前記表皮材の周端部を、前記座枠の内向きの支持部の上面と座シェルの外周部の下面により挟持するようにして嵌着する。
【００１０】
（２）上記（１）項において、座シェルの左右両側端と後端とに、座枠の上向片の内面に摺接する枠状片を立設する。
【００１１】
（３）上記（１）または（２）項において、座シェルの外周部下面に、下端に上向鉤状の係合爪を有する複数の係合片を突設し、各係合片の係合爪を、座枠の内向の支持部に設けた係止孔、または支持部の内周縁部下面に弾性係合させることにより、座枠に座シェルを着脱可能に嵌着する。
【００１２】
（４）上記（１）〜（３）項のいずれかにおいて、座枠の左右の上向片の上端に、外向きのフランジ片を連設し、両フランジ片を、左右の支持杆の上面により支持することにより、座枠を左右の支持杆の間に設ける。
【００１３】
（５）上記（１）〜（４）項のいずれかにおいて、左右の支持杆における前部と後部同士の対向面間に、左右方向を向く座支持部材を横架し、座枠の後端部下面と座シェルの前端部下面とを、それぞれ、前記後部座支持部材と前部座支持部材とにより支持し、前後の座支持部材の下方より座シェルに向かって螺合したねじにより、座枠と座シェルとを脚フレームに固定する。
【００１４】
【発明の実施の形態】
以下、本発明の実施形態を図面に基づいて説明する。
図１は、本発明の椅子におけるフレーム（１）の斜視図、図２は、同じく座（２）の分解斜視図、図３は、座（２）取付時の中央縦断拡大側面図である。
【００１５】
椅子のフレーム（１）は、スチールパイプよりなる左右１対の脚フレーム（３）（３）と、それらの前後方向を向く水平の支持杆（３ａ）の前後の対向面間に左右方向を向いて固着された金属製の前部座支持部材（４）及び後部座支持部材（５）と、脚フレーム（３）の上下方向を向く前脚部（３ｂ）（３ｂ）の上端部間に固着された連結杆（６）とからなり、脚フレーム（３）の上下方向を向く後脚部（３ｃ）（３ｃ）の上端部間には、背凭れ（７）が取付けられている。
【００１６】
上記前部座支持部材（４）は、中央部がやや下向きに湾曲する側面視ほぼ上向コ字状をなし、その左右両端部には通孔（８）が穿設されている。
【００１７】
上記後部座支持部材（５）は、左右両端が支持杆（３ａ）（３ａ）の下面に固着され、かつ中央部が後向きに膨出するように円弧状に湾曲された水平支持板（５ａ）と、その後端縁より、やや斜め後ろ上方に向かって円弧状に起立する上向支持板（５ｂ）とにより、側面視ほぼＬ字状の断面形状とされ、水平支持板（５ａ）の左右両端部には、通孔（８ａ）が、また中央部の前端縁には、平面視コ字状の切欠き溝（９）がそれぞれ形成されている。
【００１８】
座（２）は、座枠（１０）、座シェル（１１）、発泡ポリウレタン等のクッション材（１２）、及びクロス等の表皮材（１３）よりなっている。
【００１９】
座枠（１０）は、硬質合成樹脂により、中央が大きく開口する概ね方形枠状に一体成形され、その左右の側枠（１０ａ）（１０ａ）と後枠（１０ｂ）は、内向支持片（１４）と上向片（１５）とにより、内向Ｌ字状断面をなしている。
【００２０】
両側枠（１０ａ）と後枠（１０ｂ）との上向片（１５）の上端には、それぞれ、左右の脚フレーム（３）の支持杆（３ａ）の上面に載置可能な外向フランジ片（１６）（１６）と、上端が下向Ｕ字状に折曲された、後部座支持部材（５）における上向支持板（５ｂ）の前面と上端を覆いうる大きさの斜め後ろ上方を向く傾斜フランジ片（１７）とが、一体成形されている（図３参照）。
【００２１】
後部側の内向支持片（１４）と傾斜フランジ片（１７）は、後部座支持部材（５）とほぼ同様に後向き円弧状に湾曲され、後部側の内向支持片（１４）の左右両端部には、後部座支持部材（５）の水平支持板（５ａ）の上面に載置した際に、その通孔（８）と整合する通孔（１８）が穿設されている。
【００２２】
図４に示すように、傾斜フランジ片（１７）と上向片（１５）との後面の隅部には、後部座支持部材（５）の水平支持板（５ａ）の上面と上向支持板（５ｂ）の前面とに当接可能な、垂直板状の後向きの多数の補強リブ（１９）が形成されている。
【００２３】
座枠（１０）の前枠（１０ｃ）は、斜め前下方に傾斜するとともに、図３に示すように、側面視ほぼ上向コ字状断面に形成され、その上記外向フランジ片（１６）と連続する前片（２０ａ）と後片（２０ｂ）は、それらの対向面間に結合された複数のリブ（２１）により補強されている（図４参照）。
【００２４】
なお、上記複数のリブ（２１）と後片（２０ｂ）とにより、内向きの支持部が形成され、この支持部に、座シェル（１１）の後記する前枠片（１１ｂ）が支持されるようになっている。
【００２５】
上記後片（２０ｂ）の中間部には、横長方形状の係止孔（２２）を有する左右１対の係止片（２３）（２３）が、斜め後ろ上方を向いて突設されている（図８参照）。
【００２６】
また、左右の側枠（１０ａ）の内向支持片（１４）の中間部には、係止突片（２４）が内向きに突設されている。
【００２７】
上記座シェル（１１）は、図５にも示すように、座枠（１０）の枠内に挿脱可能に嵌合される概ね方形浅皿状をなし、全体が合成樹脂により一体成形されている。
【００２８】
座シェル（１１）の左右及び後部の上方を向く枠状片（１１ａ）の上下寸法は、座枠（１０）における側枠（１０ａ）と後枠（１０ｂ）の上向片（１５）の上下寸法とほぼ等寸とされている。
【００２９】
また、座シェル（１１）の前端部は、斜め前下方に向かって円弧状に湾曲され、かつその前端には、座枠（１０）の前枠（１０ｃ）における前片（２０ａ）と後片（２０ａ）間において前端下面が前片（２０ａ）の上端に当接する前枠片（１１ｂ）が、斜め前上方を向いて連設されている（図５参照）。
【００３０】
前枠片（１１）と底板（２５）の前端部の断面形状は、概ね側面視Ｌ字状をなしている。
【００３１】
座シェル（１１）における若干下方に湾曲している底板（２５）のやや後方寄りには、図６及び図７の底面斜視図にも示すように、底板（２５）の上面の一部を上面が開口するＵ字状断面をなすように下向きに屈曲成形することにより、底板（２５）の厚さよりも若干薄肉をなす左右両側部の前向凹条部（２６ａ）（２６ａ）と、後部側の横向凹条部（２６ｂ）とからなる平面視前向Ｕ字形の可撓性凹条（２６）が設けられている。
【００３２】
可撓性凹条（２６）により囲まれた底板（２５）の中央部の大きさは、着座者の平均的な臀部の大きさよりも若干大とされ、その部分には、多数の小孔（２７）が穿設され、撓み易くしてある。
【００３３】
図６及び図７に示すように、可撓性凹条（２６）における前向凹条部（２６ａ）の後部と、横向凹条部（２６ｂ）の左右両側部とには、可撓性凹条（２６）を不連続とするように、それと直交する方向を向くスリット（２８）が形成されている。この各スリット（２８）は、図５に示すように、底板（２５）の上面まで貫設され、かつその両端は円弧状としてある。
【００３４】
図７に拡大して示すように、各スリット（２８）の裏面側の両基部には、スリット（２８）により分割された可撓性凹条（２６）の隣接端部を結合することにより、その部分を補強するリブ（２９）が、スリット（２８）の両端を囲むようにして一体的に突設されている。
【００３５】
左右の前向凹条部（２６ａ）の前端は、底板（２５）の下面に開口し、その開口端と近接する底板（２５）にも、左右方向を向くスリット（２８）（２８）が形成され、その裏面の周縁部と、前向凹条部（２３ａ）の左右の開口基部とは、リブ（３０）により補強されている。
【００３６】
図３及び図６に示すように、座シェル（１１）の底板（２５）の前端部下面には、上記前部座支持部材（４）における前後の上端に上方より嵌合して位置決めするための前後１対の突条（３１）（３１）が、左右方向を向いて突設されている。
【００３７】
底板（２５）の下面における上記突条（３１）間の左右両端部には、上記前部座支持部材（４）の通孔（８）と整合する貫通孔（３２）を有する取付ボス（３３）（３３）が、下向きに突設されている。
【００３８】
両取付ボス（３３）の貫通孔（３２）には、図３に示すように、前部座支持部材（４）の下方より挿通したタッピングスクリュウ（３４）が螺合され、座シェル（１１）の前端部下面が、前部座支持部材（４）の上面に固定されるようになっている。
【００３９】
底板（２５）の後端部下面の左右両側部にも、上記と同様の取付ボス（３３）（３３）が突設され、この取付ボス（３３）の貫通孔（３２）には、後部座支持部材（５）の通孔（８）と座枠（１０）の内向支持片（１１）の通孔（１８）とに下方より挿入したタッピングスクリュウ（３４）（３４）（図１参照）が螺合され、座枠（１０）とそれに嵌合される座シェル（１１）とが、共に後部座支持部材（５）に固定されるようになっている。
【００４０】
図５、図６及び図８に示すように、座シェル（１１）における底板（２５）の前端の中央部下面には、斜め前下方を向き、かつ前端に上向鉤状の係合爪（３５ａ）を有する左右１対の係合片（３５）（３５）が突設され、それらの係合爪（３５ａ）は、座シェル（１１）を座枠（１０）に嵌合した際において、座枠の（１０）の前枠（１０ｃ）における後片（２０ｂ）の係止片（２３）に形成された係止孔（２２）に弾性係合されるようになっている。
【００４１】
底板（２５）における両側部下面の前後方向の中間部と後端部の中央下面には、図３、図４及び図９に示すように、遊端部に上向鉤状の係合爪を有する外向Ｊ字状断面をなす係合片（３６）が、下向きに突設されている。
【００４２】
左右の係合片（３６）における遊端側の上端は、座シェル（１１）を座枠（１０）に嵌合した際、内向きに弾性変形させられて押圧されることにより、座枠（１０）の左右の内向支持片（１４）に突設した係止突片（２４）の下面に係合するようになっている（図９参照）。
【００４３】
後端中央部の係合片（３６）における遊端側の上端は、図３に示すように、座枠（１０）の後部側の内向支持片（１４）の下面に弾性係合するようになっている。
【００４４】
座（２）を組立てるには、まず座シェル（１１）の枠内にクッション材（１２）を挿入して載置し、このクッション材の表面を、次のようにして表皮材（１１）により覆う。
【００４５】
クッション材（１２）の上面に重ねた表皮材（１３）の周縁部を、座シェル（１１）の下面側に若干折り返したのち、表皮材（１３）の袋状縁部（１３ａ）に挿通した締付紐（３７）を締め上げて緊張させ、クッション材（１２）の表面と座シェル（１１）の周端部をくるんで被覆する。
【００４６】
ついで、座シェル（１１）を座枠（１０）の枠内に、次の要領で固定する。
すなわち、まず座シェル（１１）の底板（２５）の前端部下面に設けた１対の係合片（３５）の係止爪（３５ａ）を、座枠（１０）における前枠（１０ｃ）の後片（２０ｂ）に設けた１対の係止片（２３）の係止孔（２２）に係合させたのち、座シェル（１１）全体を下向きに押圧し、底板（２５）の左右両側部と後端部に設けた３個の係合片（３６）を、上述したように、座枠（１０）の係止突片（２４）と内向支持片（１４）の下面に弾性係合させる。
【００４７】
これにより、座シェル（１１）は、その底板（２５）の左右両側部と後部側の下面が、座枠（１０）の内向支持片（１４）により支持されるとともに、前枠片（１１ｂ）の下面が、座枠（１０）の前枠（１０ｃ）の上面に当接した状態で、座枠（１０）の枠内に安定的に固定される。
【００４８】
この際、座シェル（１１）の下面側に折り返された表皮材（１３）における左右両側と後部側の周端部は、座枠（１０）の内向支持片（１４）と上向片（１５）、及び座シェル（１１）の枠状片（１１ａ）と底板（２５）の下面間において、それらにより挟持され、かつ前部の周端部は、座枠（１０）の前枠（１０ｃ）と座シェル（１１）の前枠片（１１ｂ）間において、それらにより挟み込まれるので、表皮材（１３）の全周端部の挟持面積が大となり、座シェル（１１）より簡単に外れたりする恐れはない（図３参照）。
【００４９】
このようにして組立てた座（２）を、椅子のフレーム（１）に取付けるには、まず左右の脚フレーム（３）における支持杆（３ａ）の上面に、座枠（１０）の左右の外向フランジ片（１６）を載置するとともに、後部座支持部材（５）における水平支持板（５ａ）の上面に、座枠（１０）の後部側の内向水平片（１４）を載置し、上向支持板（５ｂ）の前面に補強リブ（１９）を当接させ、かつそれと同時に、座枠（１０）に装着した座シェル（１１）の底板（２５）の前端部下面を、それに設けた前後の突条（３１）（３１）により位置決めして、前部座支持部材（４）の上端に載置する。
【００５０】
ついで、前後の座支持部材（４）（５）の下方より挿通した前後２本ずつのタッピングスクリュウ（３４）を、座シェル（１１）の取付ボス（３３）に向かって螺合する。
【００５１】
これにより、座（２）は、座シェル（１１）とクッション材（１２）とが左右の支持杆（３ａ）間に位置するようにして、脚フレーム（３）の上部に安定的に固定される（図３参照）。
【００５２】
また、座（２）の取付時において、座シェル（１１）は、前後のタッピングスクリュウ（３４）により、座枠（１０）に引き付けられて強く固定されるため、座シェル（１１）の下面に折り返された表皮材（１３）の周端部が、座枠（１０）の内向支持片（１４）と座シェル（１１）の底板（２５）の下面、及び座枠（１０）の前枠（１０ｃ）の上面と座シェル（１１）の前枠片（１１ｂ）の下面により強く挟圧される。
【００５３】
従って、表皮材（１３）が前後左右方向に強く引っ張られても、その周端部が座シェル（１１）より外れたり、ずれたりする恐れはない。
【００５４】
取付後の座（２）に着座すると、図１０に示すように（クッション材及び表皮材は図示略）、座シェル（１１）の底板（２５）の中央部が、可撓性凹条（２６）を中心として座枠（１０）の開口を通って下方に撓む。
【００５５】
すなわち、着座者の臀部の荷重が、底板（２５）における可撓性凹条（２６）により囲まれた中央部に加わると、薄肉とした可撓性凹条（２６）が、図１０の２点鎖線のように拡開方向に弾性変形することにより、底板（２５）の中央部が下方に沈み込むように円弧状に撓む。
【００５６】
しかも、可撓性凹条（２６）は、複数のスリット（２８）を設けて不連続状としてあるので、その撓み剛性は小さくなり、かつ底板（２５）の中央部の撓み性は、大となって、座り心地が向上する。
【００５７】
スリット（２８）の基部はリブ（３０）により補強されているため、底板（２５）の中央部が繰り返し大きく撓んでも、スリット（２８）の基部を起点として、底板（２５）に亀裂等を発生させる恐れはない。
【００５８】
底板（２５）の中央部には、多数の小孔（２７）が穿設されているので、その部分を、臀部に沿って容易に撓ませることができ、座り心地がより向上する。
【００５９】
左右の脚フレーム（３）における水平杆（３ａ）の後端部間に、水平支持板（５ａ）と、後ろ上方に起立する上向支持板（５ａ）とからなる側面視ほぼＬ字状断面の剛性の高い後部座支持部材（５）を設け、その下面と前面に、座枠（１０）における後枠（１０ｂ）の上向片（１５）と傾斜フランジ片（１７）との後面に設けた多数の補強リブ（１９）の後端と下面とを当接させているので、座枠（１０）の後枠（１０ｂ）、すなわち、座枠（１０）、座シェル（１１）、クッション材（１２）、及び表皮材（１３）よりなる座（２）の後端部の支持面積が増大し、着座時の荷重が分散されて面圧が低下する。
【００６０】
その結果、座枠（１０）の後部の撓み変形が小さくなり、座（２）の後部が安定的に支持されるとともに、支持強度も大となる。
【００６１】
また、後枠（１０ｂ）の下面と後面は、金属製の後部座支持部材（５）により覆われているので、同一形状の椅子を、後部座支持部材（５）を下方に向けて多数積み重ねて保管する際等において、後枠（１０ｂ）の下面と後面が保護され、それに傷を付けたりするのが防止される。
【００６２】
しかも、多数積み重ねた椅子の荷重が、最下位の椅子の後部座支持部材（５）、及び座枠（１０）の傾斜フランジ片（１７）に上向きの反力として作用しても、多数の補強リブ（１９）が設けられているので、それらが上向きに大きく屈曲されて折損するなどの不具合が発生する恐れはない。
【００６３】
上記実施形態では、座シェル（１１）は、枠状片（１１ａ）を有するものとしたが、座シェル（１１）が比較的厚肉で、撓み剛性が大きい場合には、枠状片（１１ａ）を省略して平板状としたり、その左右両側部又は後部のものを省略したりすることもある。
【００６４】
座シェル（１１）の下面の３個の係合片（３６）を、座枠（１０）における内向き支持片（１４）の係合片（２４）の下面と、内向支持片（１４）の内周縁部の下面に弾性係合させているが、内向支持片（１４）に係合孔を穿設し、この係合孔に各係合片（３６）を弾性係合するようにしてもよい。
【００６５】
【発明の効果】
請求項１記載の発明によれば、座シェルの下面に折り返した表皮材の周縁部は、座枠に座シェルを嵌着する際に、それらにより上下方向から挟持されて簡単かつ強固に固定される。従って、従来のような接着剤を使用しなくても、表皮材が外れたり、ずれたりする恐れはない。
【００６６】
また、座シェルの周端部は、左右の側枠と後枠に上向片を有する剛性の高い枠状の座枠により支持されているので、座シェルを比較的薄肉とするなどして、その着座時における中央部の撓み性を大きくすることができ、座の座り心地が向上する。
【００６７】
請求項２記載の発明によれば、座シェルの周端部の剛性が大となるとともに、表皮材の周端部の挟持面積が増大するので、表皮材は、より強固に固定される。
【００６８】
請求項３記載の発明によれば、座シェルを座枠に押し込むだけで簡単に固定しうるとともに、着脱可能であるので、表皮材の交換等も容易に行うことができる。
【００６９】
請求項４記載の発明によれば、座枠とそれに嵌着した座シェル及びクッション材等を、左右の支持杆の間に、左右方向への位置ずれを防止して設けることができるとともに、両支持杆の上面がフランジ片により覆われるので、体裁が向上する。
また、座枠の左右の側枠の剛性が、フランジ片を設けたことでより大となる。
【００７０】
請求項５記載の発明によれば、座シェルの中央部の撓み性を損なうことなく、座枠と座シェルとを、前後の座支持部材により安定的に支持することができる。
また、ねじを、前後の座支持部材の下方より座シェルに螺合することにより、座枠の内向支持部の上面に、座シェルの外周部下面が強く当接し、それらにより挟持された表皮材の周端部が強く挟圧されることにより、その固定強度はより大となる。
【図面の簡単な説明】
【図１】本発明の椅子のフレームの斜視図である。
【図２】同じく、座の分解斜視図である。
【図３】同じく、座部の中央縦断拡大側面図である。
【図４】同じく、座枠の後方斜視図である。
【図５】同じく、クッション材を取外して示す座の平面図である。
【図６】同じく、座シェルの下面の斜視図である。
【図７】図６のＡ部の拡大図である。
【図８】図５のＶＩＩＩ−ＶＩＩＩ線の拡大縦断側面図である。
【図９】図５のＩＸ−ＩＸ線の拡大縦断面図である。
【図１０】図５のＸ−Ｘ線の拡大縦断面図である。
【符号の説明】
（１）フレーム
（２）座
（３）脚フレーム
（３ａ）支持杆
（３ｂ）前脚部
（３ｃ）後脚部
（４）前部座支持部材
（５）後部座支持部材
（５ａ）水平支持板
（５ｂ）上向支持板
（６）連結杆
（７）背凭れ
（８）通孔
（９）切欠き溝
（１０）座枠
（１０ａ）側枠
（１０ｂ）後枠
（１０ｃ）前枠
（１１）座シェル
（１１ａ）枠状片
（１１ｂ）前枠片
（１２）クッション材
（１３）表皮材
（１３ａ）袋状縁部
（１４）内向支持片（内向支持部）
（１５）上向片
（１６）外向フランジ片
（１７）傾斜フランジ片
（１８）通孔
（１９）補強リブ
（２０ａ）前片
（２０ｂ）後片
（２１）リブ
（２２）係止孔
（２３）係止片
（２４）係止突片
（２５）底板
（２６）可撓性凹条
（２６ａ）前向凹条部
（２６ｂ）横向凹条部
（２７）小孔
（２８）スリット
（２９）（３０）リブ
（３１）突条
（３２）貫通孔
（３３）取付ボス
（３４）タッピングスクリュウ（ねじ）
（３５）係合片
（３５ａ）係合爪
（３６）係合片
（３７）締付紐
【図１】
2005034296.tif 000003
【図２】
2005034296.tif 000004
【図３】
2005034296.tif 000005
【図４】
2005034296.tif 000006
【図５】
2005034296.tif 000007
【図６】
2005034296.tif 000008
【図７】
2005034296.tif 000009
【図８】
2005034296.tif 000010
【図９】
2005034296.tif 000011
【図１０】
2005034296.tif 000012